(57)【特許請求の範囲】
【請求項１】
ホワイトボード等の黒板の上端部に取着される上枠の上面の黒板厚み方向一端部側に、その長手方向全長にわたって、その開口溝部が上向きにしてリップ形溝形鋼からなるガイドレールが取り付けられ、このガイドレールにスライド可能に嵌合してガイドレール内を転動するガイド転子と、上記上枠の黒板厚み方向他端部側の上面を転動するガイド転子とに支持されて、取付支柱枠が黒板の長手方向に移動可能に設けられ、該取付支柱枠の上端部に、黒板の前方へ水平に延びるアームを介して、黒板表面に投影するためのビデオプロジェクターが取り付けられてなる黒板装置。
【請求項２】
前記取付支柱枠のアームを伸縮可能としてなることを特徴とする請求項１に記載の黒板装置。
【請求項３】
ホワイトボードの黒板は、そのホワイトボードの黒板表面に無光沢処理が施されている請求項１又は２に記載の黒板装置。
【発明の詳細な説明】
【技術分野】
【０００１】
本発明は、ホワイトボード等の黒板にビデオプロジェクターを設置した黒板装置に関するものである。
【背景技術】
【０００２】
従来におけるこの種の黒板装置としては、例えば本願と同一出願人によって出願された下記特許文献１に記載されたものがある。この特許文献１の黒板装置は、ホワイトボード等の通常黒板に電子黒板を黒板長手方向にスライド可能に設置し、この電子黒板には電子黒板表面に投影するためのビデオプロジェクターを一体に設置し、電子黒板とビデオプロジェクターとを一体に移動可能としたものである。
【先行技術文献】
【特許文献】
【０００３】
【特許文献１】特開２００９−１１９６６３号公報
【発明の概要】
【発明が解決しようとする課題】
【０００４】
上記特許文献１に記載の黒板装置では、ホワイトボード等の黒板にその黒板表面に投影するためのビデオプロジェクターを設置するのに、電子黒板を黒板に設置する必要があるが、電子黒板が高価であるため、黒板装置のコストが高くつくと云う難点がある。
【０００５】
本発明は、上記の事情に鑑み、ホワイトボード等の黒板に電子黒板を設置することなく黒板にビデオプロジェクターを設置できて、そのビデオプロジェクターを黒板長手方向に移動できるようにした黒板装置を提供することを目的とする。
【課題を解決するための手段】
【０００６】
上記課題を解決するための手段を、後述する実施形態の参照符号を付して説明すると、請求項１に係る発明は、ホワイトボード等の黒板１の上端部に取着される上枠１３の上面の黒板厚み方向一端部側に、その長手方向全長にわたって、その開口溝部が上向きにしてリップ形溝形鋼からなるガイドレール５が取り付けられ、このガイドレール５にスライド可能に嵌合してガイドレール５内を転動するガイド転子１１と、上記上枠１３の黒板厚み方向他端部側の上面を転動するガイド転子１４とに支持されて、取付支柱枠６が黒板の長手方向に移動可能に設けられ、該取付支柱枠６の上端部に、黒板１の前方へ水平に延びるアーム８を介して、黒板表面３ａに投影するためのビデオプロジェクター７を取り付けてなることを特徴とする。
【０００７】
【０００８】
請求項２は、請求項１に記載の黒板装置において、前記取付支柱枠６のアーム８を伸縮可能としてなることを特徴とする。
【０００９】
請求項３は、請求項１又は２に記載の黒板装置において、ホワイトボードの黒板は、そのホワイトボードの黒板表面３ａに無光沢処理が施されていることを特徴としている。
【発明の効果】
【００１０】
上記解決手段による発明の効果を、後述する実施形態の参照符号を付して説明すると、請求項１に係る発明の黒板装置によれば、黒板１の上端部に黒板長手方向に延びるガイドレール５を設け、このガイドレール５に案内されて黒板長手方向に移動する取付支柱枠６にビデオプロジェクター７を取り付ければよく、従って従来のように黒板に電子黒板を設置することなくビデオプロジェクター７を設置できて、そのビデオプロジェクター７を黒板１の長手方向に移動させ、任意位置で黒板表面３ａに投影することができる。また、ビデオプロジェクター７が黒板に取り付けられてその長手方向に直接移動するから、昇降黒板であっても、最初に焦点距離を合わせておけば、任意の位置で停止させて、その停止位置で距離を合わせることなく映像を黒板表面３ａに映すことができる。
【００１１】
又、本発明の黒板装置によれば、黒板１の上端部に取着される上枠１３の上面の黒板厚み方向一端部側に設けたガイドレール５内を転動するガイド転子１１と、上記上枠１３の黒板厚み方向他端部側の上面を転動するガイド転子１４とに支持されて、取付支柱枠６が黒板の長手方向に移動可能に設けられており、なお且つ上枠上面一端側のガイド転子１１は、その開口溝部が上向きにしてリップ形溝形鋼からなるガイドレール５によって、左右方向のみならず、上下方向にも規制されて、ガイドレール５内を転動するようになっているため、取付支柱枠６およびアーム８を介して取り付けられるビデオプロジェクト７を、安定状態を確保しながら、黒板１の長手方向に円滑に移動することができる。
更に又、取付支柱枠６は、黒板１の上枠１３を利用してその上面１３に設けたガイドレール５にスライド可能に嵌合するガイド転子１１と、上記上枠１３の上面を直接に転動するガイド転子１４を下端側に備え、上端部から黒板１の前方へ水平に延び、先端側にビデオプロジェクター７が取り付けられるアーム８を有してなるものであるから、構造が簡単であり、製作が容易となる。
【００１２】
請求項２に係る発明の黒板装置によれば、取付支柱枠６のアーム８が伸縮可能であるから、アーム８を伸縮操作することで、ビデオプロジェクター７の焦点の大幅調整を容易に行なうことができる。
【００１３】
請求項３に係る発明の黒板装置によれば、黒板がホワイトボードである場合、ホワイトボードの黒板表面に無光沢処理が施されているから、光が反射せず、プロジェクター映像をハレーションを抑えて映し出すことができて、映像が鮮明となり、見え易くなる。
【図面の簡単な説明】
【００１４】
【図１】(a) は本発明に係る黒板装置の昇降式黒板を示す平面図、(b) はその正面図、(c) は側面図である。
【図２】図１の(a) のＸ−Ｘ線拡大断面図である。
【図３】黒板を昇降駆動するための昇降駆動手段を示す正面図である。
【発明を実施するための形態】
【００１５】
以下に本発明の好適な実施形態を図面にもとづいて説明すると、図１には本発明に係る黒板装置の昇降式黒板１を示し、この黒板１は、図３に示すような周知の昇降駆動手段４により、図１の(b) 及び(c) の仮想線で示す上昇限位置と下降限位置との間で昇降できるようになっている。
【００１６】
図１に示す黒板１は、図２に示すように、ベニヤ板からなる基板２に例えば塗装鋼板からなる表面板３を貼着してなるホワイトボードで、表面板３の表面（黒板表面）３ａは、無光沢処理、即ちツヤ消し処理が施されている。黒板１の上下端縁及び左右端縁にアルミ製の縁枠４が取り付けられている。表面板３は、ホーロー用鋼板からなるもので、この鋼板表面は硬質ホーロー仕上げされている。このホーロー仕上げされた黒板１は、本来はマーカーで文字等が書き易いマーカーボードであるが、黒板表面３ａに無光沢（つや消し）処理が施されていることによって、光が反射せず、プロジェクター映像をハレーションを抑えて映し出すことができる優れたスクリーンボード機能を有する黒板となる。
【００１７】
尚、無光沢処理には、機械的又は化学的粗面処理、無光沢性被膜塗工処理等があるが、この黒板１では、機械的粗面処理や無光沢性被膜塗工処理が好ましい。機械的粗面処理としては、黒板表面を、例えば研磨材によって研磨加工する方法を採用できる。また、無光沢性被膜塗工処理は、無機充填材からなる塗料を黒板表面に塗布する方法で、極めて良好な無光沢面を形成できる。その他無光沢処理として、無光沢性のフィルムを黒板表面に貼着する方法もある。
【００１８】
そして、この昇降式黒板の上端部には、図１の(a) 〜(c) 及び図２に示すように、ガイドレール５が黒板１の長手方向全長にわたって取り付けられ、このガイドレール５に案内されて黒板１の長手方向に移動可能な取付支柱枠６に、短焦点ビデオプロジェクター７が取り付けられている。ガイドレール５は、リップ溝形鋼からなるもので、黒板１の背面側上端部に取着された上枠１３の上面の一側部に、その開口溝部を上向きにして取り付けられている。  
【００１９】
取付支柱枠６は、図２に示すように、上端部から黒板１の前方へ水平に延びるアーム８を有し、下端に略々上向きコ字枠状の基枠１０が取り付けられ、この基枠１０の一端部には、ガイドレール５にスライド可能に嵌合するガイド転子１１が、ガイドレール５長手方向に相前後して一対ずつ、夫々取付部材１２を介して取り付けられ、基枠１０の他端部には、上枠１３の上面を転動する１個又は複数個のガイド転子１４が、取付部材１５を介して取り付けられている。
【００２０】
従って、取付支柱枠６を手で左右方向に押せば、この取付支柱枠６は、ガイドレール５に嵌合した複数個のガイド転子１１により的確にガイドされつつ、上枠１３の上面を転動する１個又は複数個のガイド転子１４で支持されて安定状態を確保しながら、黒板１の長手方向に移動し、この取付支柱枠６の移動に伴ってビデオプロジェクター７を黒板１の長手方向に移動させることができて、その移動させた任意の位置でビデオプロジェクター７からの映像を黒板表面３ａ上に映すことができる。
【００２１】
アーム８は、図２に示すように、固定アーム部８ａと、この固定アーム部８ａに対し伸縮可能に嵌合された可動アーム部８ｂとからなるもので、可動アーム部８ｂの先端側にビデオプロジェクター７が取り付けられ、また固定アーム部８ａの所要部には、可動アーム部８ｂを固定アーム部８ａに対し所要伸縮位置で固定するための固定ネジ具１６が設けてある。
【００２２】
ここで、黒板１を昇降させる昇降駆動手段４の一例について図３によって説明すると、建物壁面（図示せず）に固定される固定枠体２０には、黒板１の面と直交する回転軸２３を設けると共に、この軸２３には同心状に、円板状第１ドラム２４と、カム状第２ドラム２５と、ブレーキドラム２６とを一体的に且つ軸方向に順次ずらして並行に取り付けて、これらの部材を固定枠体２０に対し遊転可能に軸架し、第１ドラム２４の外周面の点対称位置に夫々の一端部が固着された一対の第１索体２７，２８は、左右両端部付近に設けたガイドプーリ２９，３０を経由して下方に延び、夫々の先端部２７ａ，２８ａは、黒板１が一体に取り付けられる昇降枠３３の下フレーム３６に連結されている。従って、第１ドラム２４が図４の矢印に示すように反時計方向に回転すれば、一対の第１索体２７，２８は下方に向かって引き出され、昇降枠３３に取り付けられる黒板１は、その自重によって下降する。
【００２３】
一方、一対の第１索体２７，２８の巻き掛けとは逆巻きにしてカム状第２ドラム２５に一端部を固着した第２索体３８は、バランススプリング機構４３に連結される。即ち、図３中右側上方のガイドプーリ４０を経由して、その他端部は、スプリング取付板４１に連結される。この第２索体３８に連結されるスプリング取付板４１と、これに対向する他方のスプリング取付板４２との間に複数個の、図示では３個のバランススプリング４３ａ〜４３ｃが夫々並行して取り付けられている。そして、他方側のスプリング取付板４２には枠体用索体４４の一端部が固着され、この索体４４の他端部はガイドプーリ４５を経由して固定枠体２０の下端部に連結される。
【００２４】
しかして、黒板１を下降させるに伴って回転する円板状第１ドラム２４によって順次増大するバランススプリング４３ａ〜４３ｃの付勢力によるカム状第２ドラム２５の回転トルクが、黒板１の重量による円板状第１ドラム２４の回転トルクと常に一致するように、カム状第２ドラム２５のカム面を半径方向で順次小さくなるように形成し、もって黒板１をその重力に抗するバランススプリング４３ａ〜４３ｃの付勢力によって吊り下げ保持して力学的平衡を得て、上下任意の位置に停止可能とすると共に、その停止位置で前記ブレーキドラム２６によって規制され、その停止状態が維持されるようになっている。
【００２５】
即ち、第２索体３８側のスプリング取付板４１と前記枠体用索体４４側のスプリング取付板４２とにわたって夫々に取り付けられる複数個の、図示では３個のバランススプリング４３ａ〜４３ｃの合計の付勢力は、黒板１の重量と力学的平衡を得る付勢力に調整されているのである。そして、ブレーキドラム２６にはその外周にブレーキバンド４６が取り付けられ、その一端部にブレーキばね４７とブレーキ解除テコ４８が取り付けられ、このブレーキ解除テコ４８はプッシュプル操作紐４９にその一端部が固着され、この操作紐４９の他端部は、黒板１の下端部に沿って取り付けられているブレーキ解除レバー５０に連結されている。  
【００２６】
従って、常時はブレーキばね４７の付勢力によるブレーキバンド４６の摩擦力によって円板状第１ドラム２４の回転が規制されて黒板１の上下動が規制されると共に、ブレーキ解除レバー５０の解除操作によって操作紐４９を介して伝達されるブレーキ解除テコ４８が軸７１を中心にブレーキばね４７の付勢力に抗する方向にブレーキバンド４６を弛緩移動させ、これによってブレーキを解除して円板状第1 ドラム２４の回転を自由にし、これに連動する黒板１はバランススプリング４３ａ〜４３ｃによる力学的平衡を保って固定枠体２０のガイド孔５１，５１を挿通する昇降ガイド支柱３４，３４に案内されて軽く上下動することができる。
【００２７】
上記のような昇降駆動手段４によって昇降駆動可能な黒板１に設置したビデオプロジェクター７は、昇降駆動手段４の操作による黒板１の昇降に伴って図１の実線図示位置から２点鎖線図示位置にわたって昇降することができる。そしてまたビデオプロジェクター７は、その上昇した位置で、取付支柱枠６を左右方向へ押すことにより、黒板１長さ方向の所要位置に移動させることができ、その移動した任意の位置で黒板表面３ａに映像を映すことができる。
【００２８】
この場合、黒板１の表面３ａには、前述のように無光沢処理（つや消し処理）が施されているから、光が反射せず、ビデオプロジェクター７からの映像をハレーションを抑えて映し出すことができ、映像が鮮明で、非常に見え易くなる。
【００２９】
また、ビデオプロジェクター７を取り付ける取付支柱枠６のアーム８が伸縮可能であるから、アーム８を伸縮操作することによって、ビデオプロジェクター７の焦点の大幅調整を容易に行なうことができる。
【００３０】
【００３１】
【００３２】
【００３３】
【００３４】
また、以上の実施形態では、平面視が直線状の平面黒板について説明したが、平面視が曲線状となる曲面黒板や半曲面黒板にも本発明を適用することができる。即ち、曲面黒板や半曲面黒板の場合には、その曲面や半曲面黒板の上端面側に直線状のガイドレール５を取り付ければよいわけで、例えば、黒板全体が曲面の場合には、黒板の長さとほぼ同じ長さの直線状ガイドレール５の両端部を曲面状黒板の上端面の両端部に載置した状態で固定すればよい。
【００３５】
また、以上の実施形態では、黒板１をホワイトボードからなるものとしているが、この黒板１としては、ホワイトボードに限らず、チョークで書けて消せる黒板で、これにビデオプロジェクター７で映像を映せるような黒板を使用することにより、映像及びチョークを併用した授業あるいはプレゼンテーションを行なうことができる。
【符号の説明】
【００３６】
１            黒板
３            黒板の表面板
３ａ          黒板表面
５            ガイドレール
６            取付支柱枠
７            ビデオプロジェクター
８            取付支柱枠のアーム
【図１】
0005801785.tif 000002
【図２】
0005801785.tif 000003
【図３】
0005801785.tif 000004